(57)【要約】【課題】補正対象を検出する精度の悪化を招くことなく、色補正などの画像処理量を抑える電子カメラを提供する。【解決手段】電子カメラのＣＰＵ９は、本画像データのうち、メモリ８に記憶されている拡大領域情報に基づくデータのみを対象に赤目領域を探す。電子カメラは、赤目補正モード時において、本画像の一部を拡大して表示装置７に表示し、メモリ８の記憶情報に対応する範囲（拡大領域）を示す枠を表示装置７に表示させる。電子カメラは、ズーム拡大ボタンおよびズーム縮小ボタン１０による操作信号に応じてメモリ８の記憶情報に対応する範囲（拡大領域）の大きさを変更自在とし、拡大位置変更キー１０による操作信号に応じて、上記拡大領域の位置を画像上で上下左右に移動自在とする。電子カメラは、赤目補正の対象とすべき被写体が表示装置７に表示されている状態で領域決定ボタン１０による操作信号が入力されると、その時点で表示中の拡大領域を赤目補正の対象領域とする。【選択図】図１
2007214738.tif 000002
【特許請求の範囲】
【請求項１】
赤目現象により発生した赤目画像に補正処理を行う補正処理手段と、
指示に応じて、画像の一部を指定する指定手段と、
前記指定手段により指定された範囲の画像に前記処理を行うように前記補正処理手段を制御する制御手段とを備えることを特徴とする電子カメラ。
【請求項２】
請求項１に記載の電子カメラにおいて、
前記指定手段は、前記指示に応じて指定する範囲の大きさおよび画像上の位置を異ならせることを特徴とする電子カメラ。
【請求項３】
請求項２に記載の電子カメラにおいて、
前記指定手段により指定された範囲を示す表示を行う表示手段をさらに備えることを特徴とする電子カメラ。
【請求項４】
請求項２または３に記載の電子カメラにおいて、
前記制御手段は、前記指定手段により指定された範囲の大きさに応じて異なる処理を行うように前記補正処理手段を制御することを特徴とする電子カメラ。
【請求項５】
請求項２または３に記載の電子カメラにおいて、
前記制御手段は、前記指定手段により前記画像上に複数の範囲が指定される場合、全ての範囲が指定されてから各範囲内の画像に前記処理を行うように前記補正処理手段を制御することを特徴とする電子カメラ。
【請求項６】
請求項５に記載の電子カメラにおいて、
前記制御手段は、前記指定手段により指定された複数の範囲内の画像に対し、各範囲の大きさに応じて異なる処理を行うように前記補正処理手段を制御することを特徴とする電子カメラ。
【請求項７】
請求項１〜６のいずれか一項に記載の電子カメラにおいて、
前記制御手段は、前記指定手段により指定された範囲外の画像に対し、前記指定手段により指定された範囲内の画像に対する処理と異なる処理をさらに行うように前記補正処理手段を制御することを特徴とする電子カメラ。
【請求項８】
画像に所定の処理を施す画像処理手段と、
指示に応じて、前記画像の一部を指定する指定手段と、
前記指定手段により指定された範囲の画像に前記処理を行うように前記画像処理手段を制御する制御手段とを備えることを特徴とする電子カメラ。
【発明の詳細な説明】
【技術分野】
【０００１】
本発明は、撮影画像を電子データとして保存する電子カメラに関する。
【背景技術】
【０００２】
閃光照明を用いて撮影した場合に人の目が赤色や金色に撮影される色不良現象（赤目現象）が生じた画像に対し、画像処理を施して色不良を改善する色補正技術が知られている（特許文献１参照）。特許文献１によれば、画像処理量を抑えるために本画像に比べて解像度が低い画像が本画像から生成され、生成された低解像度の画像上で色補正の対象とする領域が検出される。赤目補正処理は、検出された領域に対応する本画像上の領域に対して施される。
【０００３】
【特許文献１】特開２００５−１６７６９７号公報
【発明の開示】
【発明が解決しようとする課題】
【０００４】
低解像度の画像を用いると赤目のような色不良領域を構成する画素数も減少し、補正対象を検出する際の精度の悪化や誤検出の要因となりやすい。
【課題を解決するための手段】
【０００５】
本発明による電子カメラは、赤目現象により発生した赤目画像に補正処理を行う補正処理手段と、指示に応じて、画像の一部を指定する指定手段と、指定手段により指定された範囲の画像に処理を行うように補正処理手段を制御する制御手段とを備えることを特徴とする。
請求項１に記載の電子カメラにおいて、指定手段は、指示に応じて指定する範囲の大きさおよび画像上の位置を異ならせることもできる。
請求項２に記載の電子カメラはさらに、指定手段により指定された範囲を示す表示を行う表示手段を備えてもよい。
請求項２または３に記載の電子カメラにおいて、制御手段は、指定手段により指定された範囲の大きさに応じて異なる処理を行うように補正処理手段を制御することもできる。
請求項２または３に記載の電子カメラにおいて、制御手段は、指定手段により画像上に複数の範囲が指定される場合、全ての範囲が指定されてから各範囲内の画像に処理を行うように補正処理手段を制御することもできる。
請求項５に記載の電子カメラにおいて、制御手段は、指定手段により指定された複数の範囲内の画像に対し、各範囲の大きさに応じて異なる処理を行うように補正処理手段を制御することもできる。
請求項１〜６のいずれか一項に記載の電子カメラにおいて、制御手段は、指定手段により指定された範囲外の画像に対し、指定手段により指定された範囲内の画像に対する処理と異なる処理をさらに行うように補正処理手段を制御することもできる。
本発明による電子カメラは、画像に所定の処理を施す画像処理手段と、指示に応じて、画像の一部を指定する指定手段と、指定手段により指定された範囲の画像に処理を行うように画像処理手段を制御する制御手段とを備えることを特徴とする。
【発明の効果】
【０００６】
本発明による電子カメラは、補正対象を検出する精度の悪化を招くことなく、赤目補正などの画像処理量を抑えることができる。
【発明を実施するための最良の形態】
【０００７】
以下、図面を参照して本発明を実施するための最良の形態について説明する。
（第一の実施形態）
図１は、本発明の第一の実施形態による電子カメラの要部構成を説明するブロック図である。図１において、電子カメラは、レンズユニット１と、撮像素子２と、制御回路３と、Ａ／Ｄ変換回路４と、画像処理回路５と、表示メモリ６と、表示装置７と、メモリ８と、ＣＰＵ９と、操作部材１０と、モータ１１と、フォーカス制御機構１２とを有し、記録媒体１３が着脱可能に構成される。
【０００８】
レンズユニット１は不図示のフォーカスレンズを含む。フォーカスレンズは、レンズユニット１を通過した光束が撮像素子２の撮像面上に結像するように、焦点位置を調節するレンズである。モータ１１がフォーカス制御機構１２を駆動することにより、フォーカス制御機構１２がフォーカスレンズを光軸方向に進退移動させる。モータ１１は、ＣＰＵ９から出力されるレンズ駆動信号によって駆動される。
【０００９】
撮像素子２は、たとえば、二次元ＣＣＤイメージセンサなどによって構成される。撮像素子２は、撮像面上の被写体像を撮像し、各画素に対応する撮像信号を出力する。撮像素子２から出力される撮像信号は、各画素に入射される光の強さに応じてその信号レベルが異なる。なお、撮像素子２は、ＣＣＤの代わりにＭＯＳセンサやＣＩＤなどを用いて構成してもよい。制御回路３は、撮像素子２、Ａ／Ｄ変換回路４に対するタイミング信号を生成して両者へ供給する。
【００１０】
撮像素子２から出力された撮像信号は、Ａ／Ｄ変換回路４によってディジタル信号に変換された後でメモリ８に格納される。画像処理回路５は、メモリ８に格納された画像データに対して所定の画像処理（ホワイトバランス処理、ガンマ補正処理、フィルタ処理など）を施す他、たとえばＪＰＥＧ方式による圧縮処理を施す。また、画像処理回路５は圧縮されている画像データを伸張する伸張処理も行うように構成されている。
【００１１】
メモリ８は、ＣＰＵ９による演算処理時の作業用メモリとして用いられる他、上記画像処理回路５による画像処理前後および画像処理中の画像データを一時的に保存するメモリとしても用いられる。表示メモリ６は、表示装置７に表示される画像などの表示データが格納される。表示データの生成はＣＰＵ９によって行われる。
【００１２】
表示装置７は液晶表示パネルなどで構成され、電子カメラによる撮影画像、電子カメラの操作メニューおよび設定情報などを表示可能に構成される。記録媒体１３は、たとえば、メモリカードなどのデータストレージ部材によって構成される。ＣＰＵ９の指示により、記録媒体１３に撮影画像のデータを保存したり、記録媒体１３に保存しているデータを読み出すことが可能である。
【００１３】
ＣＰＵ９は、電子カメラの焦点検出(ＡＦ)や測光(ＡＥ)などの各種演算、撮影動作および再生動作の制御を行う。ＣＰＵ９は、操作部材１０から操作信号が入力されると、入力された操作信号に応じて電子カメラ内の各部の動作を総括的に管理する。
【００１４】
操作部材１０はレリーズボタン２６（図２）、赤目補正モードボタン２７（図２）、ズーム拡大ボタン２２（図２）、ズーム縮小ボタン２３（図２）、拡大位置変更キー（十字キー）２４（図２）、赤目補正開始ボタン２５（図２）、領域決定ボタン２１（図２）などを含み、各ボタン（キー）が操作されると対応する操作信号を発生してＣＰＵ９へ送出する。
【００１５】
レリーズボタン２６は、電子カメラに撮影を指示するための操作部材である。赤目補正モードボタン２７（図２）は、電子カメラに赤目補正モードの動作を起動するように指示するための操作部材である。ここで、赤目補正モードとは、閃光照明を用いて撮影した場合に被写体の目に生じる色不良現象を緩和させる画像処理（以後、赤目補正処理と呼ぶ）を行う動作モードのことをいう。ズーム拡大ボタン２２は、撮影時には電子カメラにズームアップを指示し、再生時には電子カメラに表示倍率（表示装置７に表示する画像の倍率）の拡大を指示するための操作部材である。ズーム縮小ボタン２３は、撮影時には電子カメラにズームダウンを指示し、再生時には電子カメラに表示倍率の縮小を指示するための操作部材である。
【００１６】
拡大位置変更キー２４は、表示装置７の表示画面上における向きを指示するための操作部材である。赤目補正開始ボタン２５は、電子カメラに赤目補正処理を指示するための操作部材である。赤目補正処理は特許文献１のように公知であり、赤色や金色に撮影された目の色を、違和感が感じられないように他の色に変換する。領域決定ボタン２１は、電子カメラに操作内容の決定を指示するための操作部材である。
【００１７】
本発明は、電子カメラが赤目補正処理を行う動作モードに特徴を有するので、この動作モードを中心に説明する。
【００１８】
図２は、電子カメラの背面図（ファインダー側から見た図）である。図２において、背面パネル中央に表示装置７が配設され、その上側に光学ファインダーの接眼窓２８が配設される。筐体の右上部にはレリーズボタン２６が配設されている。
【００１９】
表示装置７の左側には、上から順に赤目補正モードボタン２７、領域決定ボタン２１、ズーム拡大ボタン２２、ズーム縮小ボタン２３が配設される。また、表示装置７の右側には、上から順に拡大位置変更キー２４、赤目補正開始ボタン２５が配設される。
【００２０】
ＣＰＵ９が赤目補正モード時に行う処理の流れについて、図３に示すフローチャートを参照して説明する。図３によるプログラムは、赤目補正モードボタン２７に対応する操作信号がＣＰＵ９へ入力されると起動される。
【００２１】
図３のステップＳ１において、ＣＰＵ９は、記録媒体１３から直近の撮影画像データを読み出し、画像の所定部分（たとえば、画像の中央）を所定倍率で拡大して表示装置７に再生表示する。なお、直近の撮影画像でなくても、指示された画像ファイルの撮影画像でもよい。赤目補正モード時の表示は、通常の再生ボタン（不図示）が操作された場合に表示装置７に撮影画像を表示する場合に比べて、表示用のビュー画像データによる画像でなく、ビュー画像に比べて画素数が大きい本画像データを用いて表示する点、および本画像の一部を表示する点が異なる。
【００２２】
ステップＳ２において、ＣＰＵ９はズーム拡大ボタン２２およびズーム縮小ボタン２３に対応する操作信号に応じて、表示装置７に表示する画像の表示倍率を変える。ズーム拡大ボタン２２による操作信号が入力された場合は表示倍率を拡大し、ズーム縮小ボタン２３による操作信号が入力された場合には表示倍率を縮小する。ＣＰＵ９はさらに、拡大位置変更キー２４に対応する操作信号に応じて、表示画像をスクロールさせる。たとえば、拡大位置変更キー２４から右向きを示す操作信号が入力されると、表示装置７に表示されている範囲より右側に位置する画像を表示装置７に表示するように表示画像を左方向へ移動させる。このように表示制御することにより、図４に示すように、表示装置７に赤目補正の対象となる被写体が表示される。
【００２３】
ステップＳ３において、ＣＰＵ９は、拡大再生表示している領域を決定するか否かを判定する。ＣＰＵ９は、領域決定ボタン２１に対応する操作信号が入力されるとステップＳ３を肯定判定してステップＳ６へ進み、領域決定ボタン２１に対応する操作信号が入力されない場合にはステップＳ３を否定判定し、ステップＳ４へ進む。ステップＳ６へ進む場合は、赤目補正の対象とする領域（本例では拡大再生表示している領域）を登録してから次のステップへ進む場合である。ステップＳ４へ進む場合は、赤目補正の対象とする領域を登録せずに次のステップへ進む場合である。
【００２４】
ステップＳ６において、ＣＰＵ９は、拡大再生表示している領域を示す情報をメモリ８に記憶（登録）してステップＳ７へ進む。ステップＳ７において、ＣＰＵ９は、拡大再生表示している領域を示す枠を、拡大画像に重ねて表示装置７に表示させてステップＳ２へ戻る。以上説明した処理およびステップＳ２の処理が繰り返し行われることにより、図５に示すように別の被写体が表示装置７に表示される。
【００２５】
ステップＳ７において表示された枠は、ステップＳ２において表示倍率を縮小変更した場合に表示装置７の表示画面上に現れる。図６は複数の枠を表示する電子カメラを例示する図である。図６において、図４における表示領域（領域Ａとする）を囲む枠と、図５における表示領域（領域Ｂとする）を囲む枠とが破線で示され、図４、図５における表示倍率より縮小した画像に重ねて表示されている。
【００２６】
ステップＳ４において、ＣＰＵ９は赤目補正処理を開始するか否かを判定する。ＣＰＵ９は、赤目補正開始ボタン２５に対応する操作信号が入力された場合にステップＳ４を肯定判定してステップＳ５へ進み、赤目補正開始ボタン２５に対応する操作信号が入力されない場合にはステップＳ４を否定判定してステップＳ２へ戻る。
【００２７】
ステップＳ５において、ＣＰＵ９は処理対象とする領域が登録されているか否かを判定する。ＣＰＵ９は、拡大再生表示した領域を示す情報がメモリ８に記憶されていればステップＳ５を肯定判定してステップＳ９へ進み、拡大再生表示した領域を示す情報がメモリ８に記憶されていない場合にはステップＳ５を否定判定してステップＳ８へ進む。
【００２８】
ステップＳ８において、ＣＰＵ９は現在の拡大再生表示範囲を示す情報をメモリ８に記憶してステップＳ９へ進む。ステップＳ９において、ＣＰＵ９は、メモリ８に記憶されている拡大領域情報に基づいて赤目領域を検出する処理を行い、ステップＳ１０へ進む。具体的には、本画像データのうち、赤目補正の対象とする領域に対応するデータについて赤目現象を引き起こしている画素データを探す。
【００２９】
ステップＳ１０において、ＣＰＵ９は、赤目領域を検出したか否かを判定する。ＣＰＵ９は、上記検出処理によって赤目領域を検出した場合、ステップＳ１０を肯定判定してステップＳ１１へ進み、赤目領域を検出しなかった場合にはステップＳ１０を否定判定し、ステップＳ１２へ進む。
【００３０】
ステップＳ１１において、ＣＰＵ９は、検出した赤目領域に赤目補正処理を行ってステップＳ１３へ進む。具体的には、赤目現象を引き起こしている画素データの色を、目を構成する画素データであって赤目でない画素データと同様の色に変換する。
【００３１】
ステップＳ１２において、ＣＰＵ９は、たとえば「検出できませんでした。」というメッセージを表示装置７に表示させてステップＳ１３へ進む。ステップＳ１３において、ＣＰＵ９は、メモリ８に記憶されている全ての拡大領域情報に基づいて赤目領域の検出、および検出した領域に対する赤目補正処理を行ったか否かを判定する。ＣＰＵ９は、登録されている全ての領域について処理を行った場合にステップＳ１３を肯定判定してステップＳ１４へ進み、処理を行っていない領域が存在する場合にはステップＳ１３を否定判定し、ステップＳ９へ戻る。ステップＳ９へ戻る場合は、他の登録領域に関して赤目領域の検出、検出領域に対する赤目補正処理が繰り返される。
【００３２】
ステップＳ１４において、ＣＰＵ９は赤目補正モードを終了するか否かを判定する。ＣＰＵ９は、赤目補正モードボタン２７が再度操作されたことを示す操作信号がＣＰＵ９へ入力されると、ステップＳ１４を肯定判定し、赤目補正後の画像を記録媒体１３に保存して図３による処理を終了する。一方ＣＰＵ９は、赤目補正モードボタン２７が再度操作されない場合にはステップＳ１４を否定判定し、赤目補正後の画像を記録媒体１３に保存してステップＳ１へ戻る。なお、不図示の操作部材から保存中止（消去）を指示する操作信号が入力された場合、ＣＰＵ９は、赤目補正後の画像を記録媒体１３に保存しない。
【００３３】
ステップＳ１へ戻ったＣＰＵ９は、不図示の操作部材から再生画像を変更する操作信号が入力されると、記録媒体１３から他の撮影画像データを読み出し、画像の中央部分を所定倍率で拡大して表示装置７に再生表示する。以降、上述した内容と同様の動作が繰り返される。
【００３４】
以上説明した第一の実施形態によれば、次の作用効果が得られる。
（１）電子カメラのＣＰＵ９は、本画像データのうち、メモリ８に記憶（登録）されている拡大領域情報に基づくデータ（図６において領域Ａおよび領域Ｂ内に対応するデータ）のみを対象に赤目領域を探す（ステップＳ９）ようにしたので、本画像データの全域を対象に赤目領域を探す場合に比べて赤目検出処理量が抑えられ、ＣＰＵ９の負担を軽減することができる。
【００３５】
（２）従来技術と異なり、本画像から生成した解像度の低い画像データを対象に赤目領域を探すものではないので、赤目現象を引き起こしている画素数が減少することがなく、赤目領域を検出する際の精度の悪化や誤検出が生じるおそれが少ない。つまり、精度が高い赤目検出処理、赤目補正処理をメモリ８の記憶情報に基づく範囲に限定して行うことができる。
【００３６】
（３）赤目補正モード時において、本画像の一部を拡大して表示装置７に表示する（図４、図５）ので、被写体像が小さく、赤目現象の発生の有無がわかりづらい場合でも表示装置７の表示画面上でユーザーによる赤目現象の視認が容易になり、赤目検出処理の対象領域を電子カメラに指定する（メモリ８に登録させる）ための指示操作がしやすくなる。
【００３７】
（４）メモリ８の記憶情報に対応する範囲（拡大領域）を示す枠（図６）を表示装置７に表示させる（ステップＳ７）ようにしたので、電子カメラに指定されている赤目検出処理の対象領域をユーザーにわかりやすく知らせることができる。
【００３８】
（５）ズーム拡大ボタン２２およびズーム縮小ボタン２３による操作信号に応じてメモリ８の記憶情報に対応する範囲（拡大領域）の大きさを変更自在とし、拡大位置変更キー２４による操作信号に応じて、上記拡大領域の位置を画像上で上下左右に移動自在としたので、赤目検出処理、赤目補正処理の対象範囲を電子カメラに対して適切に指示することができる。
【００３９】
（６）図４や図５に例示するように、赤目補正の対象とすべき被写体が表示装置７に表示されている状態で領域決定ボタン２１による操作信号（すなわち、範囲指定を指示する信号）が入力されると（ステップＳ３）、電子カメラはその時点で表示中の拡大領域を赤目補正の対象領域とする（ステップＳ６）。これにより、操作が簡単で、ユーザーにとって扱いやすい電子カメラが得られる。
【００４０】
（変形例１）
赤目補正後の画像を記録媒体１３に保存する際に、赤目補正の対象とする領域に関するメモリ８の記憶情報を、保存するデータファイル内に記録してもよい。これにより、画像のどの部分を対象に赤目検出処理、赤目補正処理を行ったかの履歴を残すことができる。
【００４１】
（変形例２）
赤目補正の対象とする領域（メモリ８の記憶情報に対応する範囲（拡大領域））を除く他の領域について、本画像より解像度の低い画像データを生成し、この低解像度データを対象に赤目検出処理、赤目補正処理を行ってもよい。高精度の赤目検出処理、赤目補正処理を行う領域と、赤目検出処理、赤目補正処理に高精度を必要としない領域とを分けて、ＣＰＵ９の負担を軽減しつつ、適切に赤目補正を行うことができる。
【００４２】
（変形例３）
ステップＳ１２において、赤目領域が未検出である場合にその旨を表示する例を説明したが、検出条件（たとえば、赤色判定レベルなど）を緩めて再度赤目検出処理を行うように構成してもよい。この場合のＣＰＵ９は、再度の検出処理を行ってもなお赤目領域を検出しなかった場合に、赤目領域が未検出である旨を表示し、ステップＳ１３へ進む。赤目領域が未検出の場合、画像上で赤目検出できなかった範囲を示す情報をデータファイル内に記録してもよい。
【００４３】
（変形例４）
ステップＳ９〜ステップＳ１３の処理において、メモリ８に複数の拡大領域情報が記憶される場合、各領域の赤目領域を検出する処理と、検出した領域に対して赤目補正する処理とを、全ての拡大領域情報が記憶されてからまとめて行うようにした。この代わりに、メモリ８に拡大領域情報を記憶する（ステップＳ６）ごとに、その都度各領域の赤目領域を検出する処理と、検出した領域に対して赤目補正する処理とを行う構成にしてもよい。
【００４４】
（変形例５）
メモリ８に赤目検出処理、赤目補正処理の対象とすべき拡大領域情報が複数記憶される場合（すなわち指定範囲が複数の場合）、各領域間で領域の広さに応じて赤目検出処理や赤目補正処理を異ならせてもよい。たとえば、領域間で赤目検出処理における判定レベルを変えたり、赤目補正処理における補正レベルを変えたりする。
【００４５】
（変形例６）
メモリ８に赤目検出処理、赤目補正処理の対象とすべき拡大領域情報が１つ記憶される場合（すなわち指定範囲が１つの場合）であっても、当該領域の広さに応じて赤目検出処理や赤目補正処理を異ならせてもよい。たとえば、当該領域が狭いか広いかにより、赤目検出処理における判定レベルや、赤目補正処理における補正レベルを変更する。
【００４６】
（第二の実施形態）
赤目補正モードを起動する際に、記録媒体１３から読み出した直近の撮影画像に重ねて、画像の所定部分（たとえば、画像中央）を示す枠表示を表示装置７に表示させてもよい。図７は、枠表示中の電子カメラを例示する図である。図７において、表示装置７の画面中央の領域（領域Ｃとする）を囲む枠が破線で示され、撮影画像に重ねて表示されている。
【００４７】
第二の実施形態では、ステップＳ２の代わりに以下の処理を行う。ＣＰＵ９は、ズーム拡大ボタン２２およびズーム縮小ボタン２３に対応する操作信号に応じて、表示装置７に表示する領域Ｃを示す枠の大きさを変える。ズーム拡大ボタン２２による操作信号が入力された場合は枠を小さく変更し、ズーム縮小ボタン２３による操作信号が入力された場合には枠を大きく変更する。ＣＰＵ９はさらに、拡大位置変更キー２４に対応する操作信号に応じて、枠の表示位置を移動させる。たとえば、拡大位置変更キー２４から左向きを示す操作信号が入力されると、表示装置７の表示画面において左方向へ枠を移動させる。このように表示制御することにより、図６の領域Ａや領域Ｂに示すように、表示装置７に赤目補正の対象となる領域の大きさや位置が変更される。
【００４８】
ＣＰＵ９はさらに、ステップＳ６、ステップＳ７に代えて以下の処理を行う。すなわち、表示枠で示される領域を示す情報をメモリ８に記憶し、その時点で表示している表示枠を表示したままで、画像の中央領域を囲む枠を新たに表示させてステップＳ２へ戻る。以上の処理およびステップＳ２の処理が繰り返し行われることにより、図６に示すように、赤目補正の対象とする複数の領域が表示装置７に表示される。他の処理については第一の実施形態と同様なので説明を省略する。
【００４９】
以上説明した第二の実施形態によれば、第一の実施形態と異なる以下の作用効果が得られる。すなわち、赤目補正モード時において、本画像の一部（上記例では領域Ｃ）を囲む枠を表示装置７に表示するので、赤目補正の対象領域としてメモリ８に登録される範囲を本画像上でユーザーにわかりやすく知らせることができる。これにより、ユーザーが赤目補正の対象領域をメモリ８に登録する操作がしやすくなる。
【００５０】
（変形例７）
上述した実施形態では、赤目領域を探す範囲を指定する例を説明したが、赤目領域を探さない範囲を指定するようにしてもよい。この場合のＣＰＵ９は、画像上の指定範囲外の領域を対象に赤目領域を探せばよい。
【００５１】
（変形例８）
指定範囲（領域Ａ、領域Ｂ、領域Ｃ）の形状は、表示装置７の表示画面と相似形形状である場合を例に説明したが、他の形状でもよい。たとえば、丸形、楕円形でもよく、表示画面の上部もしくは下部、表示画面の左部もしくは右部、あるいは水平方向の帯状領域、垂直方向の帯状領域として指定するものでもよい。
【００５２】
赤目画像を補正する場合を例に説明したが、ガンマ補正処理、色調補正処理、フィルタ処理、ゴミ取り処理（撮像素子２の撮像面や撮影光学系（レンズユニット１）に付着する異物などによる像をぼかす処理）などの画像処理を行う場合に適用してもよい。
【００５３】
以上の説明はあくまで一例であり、発明を解釈する上で、上記の実施形態の構成要素と本発明の構成要素との対応関係に何ら限定されるものではない。
【図面の簡単な説明】
【００５４】
【図１】本発明の第一の実施形態による電子カメラの要部構成を説明するブロック図である。
【図２】電子カメラの背面図である。
【図３】赤目補正モード時に行う処理の流れを説明するフローチャートである。
【図４】拡大再生表示している電子カメラの背面図である。
【図５】拡大再生表示している電子カメラの背面図である。
【図６】複数の枠を表示する電子カメラの背面図である。
【図７】第二の実施形態による枠表示中の電子カメラの背面図である。
【符号の説明】
【００５５】
１…レンズユニット
２…撮像素子
５…画像処理回路
６…表示メモリ
７…表示装置
８…メモリ
９…ＣＰＵ
１０…操作部材
１３…記録媒体
【図１】
2007214738.tif 000003
【図２】
2007214738.tif 000004
【図３】
2007214738.tif 000005
【図４】
2007214738.tif 000006
【図５】
2007214738.tif 000007
【図６】
2007214738.tif 000008
【図７】
2007214738.tif 000009